(57)【特許請求の範囲】
【請求項１】
ハカマ部材と、このハカマ部材内に下端部が挿入固定された軸心方向の切欠部を有する内筒部材と、この内筒部材の外周部を覆うように回動可能に取付けられた螺旋溝を有する螺旋部材と、この螺旋部材の上端部および外周部を覆うように取付けられた外筒部材と、前記内筒部材内を上下移動する該内筒部材の切欠部および前記螺旋部材の螺旋溝と係合する係合ピンを有する口紅等を支持する皿部材とを備える口紅等の収納容器において、前記皿部材を上部から組付けられるように前記内筒部材の切欠部の上端部が上部に開口するように形成し、該内筒部材の上部切欠部より挿入される前記皿部材の係合ピンが前記螺旋部材の螺旋溝内へ入り込むように皿部材の組付け時だけ内筒部材に位置決め状態で螺旋部材を係止させることができる螺旋部材係止機構および前記外筒部材の上端部に前記皿部材の係合ピン挿入溝を形成し、該係合ピン挿入溝と前記内筒部材の切欠部の上端部とが一致するように、該外筒部材を位置決め状態で前記螺旋部材に係止させることができる外筒部材係止機構とを設けたことを特徴とする口紅等の収納容器。
【請求項２】
ハカマ部材と、このハカマ部材内に下端部が挿入固定された軸心方向の切欠部を有する内筒部材と、この内筒部材の外周部を覆うように回動可能に取付けられた螺旋溝を有する螺旋部材と、この螺旋部材の上端部および外周部を覆うように取付けられた外筒部材と、前記内筒部材内を上下移動する該内筒部材の切欠部および前記螺旋部材の螺旋溝と係合する係合ピンを有する口紅等を支持する皿部材とを備える口紅等の収納容器において、前記皿部材を上部から組付けられるように前記内筒部材の切欠部の上端部が上部に開口するように形成し、該内筒部材の上部切欠部より挿入される前記皿部材の係合ピンが前記螺旋部材の螺旋溝内へ入り込むように皿部材の組付け時だけ内筒部材に位置決め状態で螺旋部材を係止させることができる螺旋部材係止機構を設けたことを特徴とする口紅等の収納容器。
【請求項３】
ハカマ部材と、このハカマ部材内に下端部が挿入固定された軸心方向の切欠部を有する内筒部材と、この内筒部材の外周部を覆うように回動可能に取付けられた螺旋溝を有する螺旋部材と、この螺旋部材の上端部および外周部を覆うように取付けられた外筒部材と、前記内筒部材内を上下移動する該内筒部材の切欠部および前記螺旋部材の螺旋溝と係合する係合ピンを有する口紅等を支持する皿部材とを備える口紅等の収納容器において、前記皿部材を上部から組付けられるように前記内筒部材の切欠部の上端部が上部に開口するように形成するとともに、前記外筒部材の上端部に前記皿部材の係合ピン挿入溝を形成し、該外筒部材の係合ピン挿入溝と前記内筒部材の切欠部とが一致するように皿部材の組付け時だけ外筒部材を内筒部材に位置決め状態で係止させることができる外筒部材係止機構および前記内筒部材の上部切欠部より挿入される前記皿部材の係合ピンが前記螺旋部材の螺旋溝内へ入り込むように前記外筒部材に位置決め状態で螺旋部材を係止させることができる螺旋部材係止機構とを設けたことを特徴とする口紅等の収納容器。
【発明の詳細な説明】
【０００１】
【発明の属する技術分野】
本発明は口紅、リップクリーム、スチックアイシャドウ、スチックファンデーション等の棒状製品を皿部材に充填した後、上部より組付けることができる口紅等の収納容器に関する。
【０００２】
【従来の技術】
従来、この種の口紅収納容器は内筒部材の上端部に開口するように切欠部を形成するとともに、外筒部材の上端部に皿部材の係合ピンを挿入するための係合ピン挿入溝を形成している。
【０００３】
【発明が解決しようとする課題】
従来の口紅収納容器は皿部材に充填カプセルを用いて口紅を充填し、上部より皿部材を内筒部材内に組付けられるように切欠部の上端部を開口させたり、係合ピン挿入溝を外筒部材に形成しているが、内筒部材、螺旋部材、外筒部材を組付けた状態では外筒部材の係合ピン挿入溝、内筒部材の切欠部の上端開口部および螺旋部材の螺旋溝の上端部を一致させておくことが難しく、輸送中に位置ずれを起こし、皿部材の組付け時に手数がかかる位置合わせ作業を行なわなければならないという欠点があった。
【０００４】
本発明は以上のような従来の欠点に鑑み、内筒部材、螺旋部材、外筒部材を組付けた状態では外筒部材の係合ピン挿入溝、内筒部材の切欠部の上端開口部および螺旋部材の螺旋溝の上部開口部が一致するように位置決めすることができ、楽に口紅等が充填された皿部材を組付けることができ、使用時には従来と同様に使用することができる口紅等の収納容器を提供することを目的としている。
【０００５】
また、本発明は内筒部材および螺旋部材を組付けた状態では内筒部材の切欠部の上端開口部と螺旋部材の螺旋溝の上部開口部が一致するように位置決めすることができ、楽に口紅等が充填された皿部材を組付けることができ、使用時には従来と同様に使用することができる口紅等の収納容器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明はハカマ部材と、このハカマ部材内に下端部が挿入固定された軸心方向の切欠部を有する内筒部材と、この内筒部材の外周部を覆うように回動可能に取付けられた螺旋溝を有する螺旋部材と、この螺旋部材の上端部および外周部を覆うように取付けられた外筒部材と、前記内筒部材内を上下移動する該内筒部材の切欠部および前記螺旋部材の螺旋溝と係合する係合ピンを有する口紅等を支持する皿部材とを備える口紅等の収納容器において、前記皿部材を上部から組付けられるように前記内筒部材の切欠部の上端部が上部に開口するように形成し、該内筒部材の上部切欠部より挿入される前記皿部材の係合ピンが前記螺旋部材の螺旋溝内へ入り込むように皿部材の組付け時だけ内筒部材に位置決め状態で螺旋部材を係止させることができる螺旋部材係止機構および前記外筒部材の上端部に前記皿部材の係合ピン挿入溝を形成し、該係合ピン挿入溝と前記内筒部材の切欠部の上端部とが一致するように、該外筒部材を位置決め状態で前記螺旋部材に係止させることができる外筒部材係止機構とで口紅等の収納容器を構成している。
【０００８】
【発明の実施の形態】
以下、図面に示す実施の形態により、本発明を詳細に説明する。
【０００９】
図１ないし図９に示す本発明の第１の実施の形態において、１は充填カプセル２を用いて口紅３を皿部材４に充填したものを上部から組付けることができる本発明の口紅収納容器で、この口紅収納容器１は上部外周部にキャップ嵌合部５が形成されたハカマ部材６と、このハカマ部材６内に下端部が挿入固定された、図４に示すように外周部に螺旋部材挿入凹部７および軸心方向でかつ上端部が上部に開口する切欠部８を有する内筒部材９と、この内筒部材９の螺旋部材挿入凹部７内に、図５に示すように該螺旋部材挿入凹部７を覆うように回動可能に取付けられた内壁面に上端部が開口する螺旋溝１０が形成された螺旋部材１１と、この螺旋部材１１の上端部および外周部を覆うように取付けられた外筒部材１２と、前記内筒部材９内に上下移動可能に取付けられる該内筒部材９の切欠部８および前記螺旋部材１１の螺旋溝１０と係合する係合ピン１３を有する充填カプセル２を用いて口紅３が充填され、上部より組付けることができる前記皿部材４と、この皿部材４を組付けるまで、前記内筒部材９の切欠部８の上端部と前記螺旋部材１１の上端部の螺旋溝１０とが一致するように内筒部材９に螺旋部材１１を位置決め状態で係止させることができる螺旋部材係止機構１４と、前記外筒部材１２の外周部を覆う、前記ハカマ部材６のキャップ嵌合部５に着脱可能に嵌合するキャップ１５とで構成されている。
【００１０】
前記螺旋部材係止機構１４は前記螺旋部材１１の下端部より下方へ突出するように形成された係止片１６と、この係止片１６を内筒部材９の切欠部８の上端部と螺旋部材１１の上端部の螺旋溝１０とが一致する部位で係止する内筒部材９の下端部の嵌合部材９ａより螺旋部材挿入凹部７内へ突出する支持片１７、１７とで構成され、この支持片１７、１７間より前記係止片１６が外れると該支持片１７、１７の両端部間で螺旋部材１１が回動し、皿部材４を図７に示すように最上部の位置から図８に示すように最下部の位置まで移動させることができる。
【００１１】
上記構成の口紅収納容器１は図１に示すように、螺旋部材係止機構１４の支持片１７、１７間に係止片１６が位置するように螺旋部材１１を内筒部材９に組付けるとともに、図６に示すように内筒部材９の下端部をハカマ部材６内に挿入固定する。
この状態で、図１に示すように充填カプセル２を用いて口紅３が充填された皿部材４の係合ピン１３を内筒部材９の切欠部８内に挿入することにより、該係合ピン１３が螺旋部材１１の螺旋溝１０内に挿入される。
しかる後、図７に示すように螺旋部材１１とハカマ部材６とを持って皿部材４を内筒部材９内に収納される方向に回動させることにより、螺旋部材係止機構１４の係止状態が解除され螺旋部材１１が回動し、皿部材４が内筒部材９内に収納され、この皿部材４の下降によって充填カプセル２より口紅３が離れ、内筒部材９内に収納される。
この状態で螺旋部材１１の外周部を覆うように外筒部材１２を取付けることにより、口紅３の充填および容器の組付けが完了する。
【００１２】
上記のように組付けられた口紅収納容器１は、従来と同様にハカマ部材６と外筒部材１２とを持って回動させることにより、口紅３を外筒部材１２の上端部より出没させて使用することができる。
【００１３】
【発明の異なる実施の形態】
次に、図１０ないし図２８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図１０ないし図１２に示す本発明の第２の実施の形態において、前記本発明の第１の実施の形態と主に異なる点は螺旋部材係止機構１４Ａで、この螺旋部材係止機構１４Ａは螺旋部材１１の上端部の螺旋溝１０が形成された部位に上方へ突出するように形成された係止片１６と、内筒部材９の切欠部８の上部端部に螺旋部材挿入凹部７内へ突出するように形成された支持片１７、１７とで構成されている。
このように形成された螺旋部材係止機構１４Ａを用いた口紅収納容器１Ａにしても、前記本発明の第１の実施の形態と同様な作用効果が得られる。
【００１５】
図１３ないし図１５に示す本発明の第３の実施の形態において、前記本発明の第１の実施の形態と主に異なる点は螺旋部材係止機構１４Ｂで、この螺旋部材係止機構１４Ｂは内筒部材９の螺旋部材挿入凹部７の下部位置に形成した傾斜リブ状の支持片１７Ａ、１７Ａと、この支持片１７Ａ、１７Ａに位置決め状態で係止される螺旋部材１１の下部内壁面に形成した傾斜リブ状の係止片１６Ａとで構成されている。
このように形成された螺旋部材係止機構１４Ｂを用いた口紅収納容器１Ｂにしても、前記本発明の第１の実施の形態と同様な作用効果が得られる。
【００１６】
図１６ないし図１８に示す本発明の第４の実施の形態において、前記本発明の第３の実施の形態と主に異なる点は、軸心方向に長いリブ状の支持片１７Ｂ、１７Ｂを内筒部材９に形成し、この支持片１７Ｂ、１７Ｂに位置決め状態で係止されるリブ状の係止片１６Ｂを螺旋部材１１の下部内壁面に形成した螺旋部材係止機構１４Ｃを用いた点で、このように形成された螺旋部材係止機構１４Ｃを用いた口紅収納容器１Ｃにしても、前記本発明の第３の実施の形態と同様な作用効果が得られる。
【００１７】
図１９ないし図２１に示す本発明の第５の実施の形態において、前記本発明の第１の実施の形態と主に異なる点は、外筒部材１２の上端部に皿部材４の係合ピン１３、１３を挿入することができる係合ピン挿入溝１８、１８を形成するとともに、この係合ピン挿入溝１８、１８と内筒部材９の切欠部８とが一致するように係止孔１９を螺旋部材１１Ａに形成し、該係止孔１９に係止される係合片２０を外筒部材１２Ａに形成した外筒部材係止機構２１を用いた点で、このように形成することにより、外筒部材１２Ａを組付けた後に口紅３が充填された皿部材４を上部より組付けることができる口紅収納容器１Ｄにすることができる。
【００１８】
図２２ないし図２４に示す本発明の第６の実施の形態において、前記本発明の第５の実施の形態と主に異なる点は、螺旋部材１１Ｂに外方へ突出する係合片２０を形成するとともに、この係合片２０と係合する係止孔１９を外筒部材１２Ｂに形成した外筒部材係止機構２１Ａを用いた点で、このように形成された外筒部材係止機構２１Ａを用いた口紅収納容器１Ｅにしても、前記本発明の第５の実施の形態と同様な作用効果が得られる。
【００１９】
図２５ないし図２８に示す本発明の第７の実施の形態において、前記本発明の第５の実施の形態と主に異なる点は、螺旋部材挿入凹部７の下部に形成した外筒部材挿入凹部２２にリブ状の支持片１７Ｃ、１７Ｃを形成した内筒部材９Ａと、外周部に軸心方向の係合溝２３が形成された螺旋部材１１Ｃと、この螺旋部材１１Ｃの係合溝２３および前記内筒部材９Ａの支持片１７Ｃ、１７Ｃと係合するリブ状の係止片１６Ｃを外筒部材１２Ｃの内壁面に形成した螺旋部材係止機構１４Ｄと外筒部材係止機構２１Ｂを用いた点で、このように形成された口紅収納容器１Ｆにしても、前記本発明の第５の実施の形態と同様な作用効果が得られる。
【００２０】
なお、前記本発明の各実施の形態では皿部材４に口紅３を充填したものについて説明したが、本発明はこれに限らずリップクリーム、スチックアイシャドウ、スチックファンデーション等の棒状製品を皿部材４に支持させても同様に使用することができる。
【００２１】
【発明の効果】
以上の説明から明らかなように、本発明にあっては次に列挙する効果が得られる。
【００２２】
（１）ハカマ部材と、このハカマ部材内に下端部が挿入固定された軸心方向の切欠部を有する内筒部材と、この内筒部材の外周部を覆うように回動可能に取付けられた螺旋溝を有する螺旋部材と、この螺旋部材の上端部および外周部を覆うように取付けられた外筒部材と、前記内筒部材内を上下移動する該内筒部材の切欠部および前記螺旋部材の螺旋溝と係合する係合ピンを有する口紅等を支持する皿部材とを備える口紅等の収納容器において、前記皿部材を上部から組付けられるように前記内筒部材の切欠部の上端部が上部に開口するように形成し、該内筒部材の上部切欠部より挿入される前記皿部材の係合ピンが前記螺旋部材の螺旋溝内へ入り込むように皿部材の組付け時だけ内筒部材に位置決め状態で螺旋部材を係止させることができる螺旋部材係止機構および前記外筒部材の上端部に前記皿部材の係合ピン挿入溝を形成し、該係合ピン挿入溝と前記内筒部材の切欠部の上端部とが一致するように、該外筒部材を位置決め状態で前記螺旋部材に係止させることができる外筒部材係止機構とで構成されているので、皿部材を組付けるまで螺旋部材係止機構および外筒部材係止機構によって外筒部材の係合ピン挿入溝、内筒部材の切欠部および螺旋部材の上端部の螺旋溝とを一致させておくことができる。
したがって、上部から充填カプセルを用いて口紅等が充填された皿部材を容易に挿入して組付けることができる。
よって、皿部材の組付けが容易で、効率よく楽に行なうことができる。
【００２３】
（２）前記（１）によって、螺旋部材係止機構は皿部材の組付けによって、その係止状態が解除され、従来と同様に使用することができる。
【００２４】
（３）前記（１）によって、部品を増加することなく、螺旋部材係止機構や外筒部材係止機構を形成することができるので、従来とほぼ同様なコストで製造することができる。
【００２５】
（４）請求項２、３も前記（１）〜（３）と同様な効果が得られる。
【図面の簡単な説明】
【図１】本発明の第１の実施の形態の皿部材の組付け状態の説明図。
【図２】本発明の第１の実施の形態の断面図。
【図３】本発明の第１の実施の形態のキャップを外した状態の平面図。
【図４】本発明の第１の実施の形態の内筒部材の説明図。
【図５】本発明の第１の実施の形態の螺旋部材の説明図。
【図６】本発明の第１の実施の形態のハカマ部材の取付け状態の説明図。
【図７】本発明の第１の実施の形態の皿部材を螺旋溝内に導いた状態の説明図。
【図８】本発明の第１の実施の形態の皿部材を最下部に収納した状態の説明図。
【図９】本発明の第１の実施の形態の外筒部材の取付け状態の説明図。
【図１０】本発明の第２の実施の形態の皿部材の組付け状態の説明図。
【図１１】本発明の第２の実施の形態の螺旋部材の説明図。
【図１２】本発明の第２の実施の形態の内筒部材の説明図。
【図１３】本発明の第３の実施の形態の皿部材の組付け状態の説明図。
【図１４】本発明の第３の実施の形態の内筒部材の説明図。
【図１５】本発明の第３の実施の形態の螺旋部材の説明図。
【図１６】本発明の第４の実施の形態の皿部材の組付け状態の説明図。
【図１７】本発明の第４の実施の形態の内筒部材の説明図。
【図１８】本発明の第４の実施の形態の螺旋部材の説明図。
【図１９】本発明の第５の実施の形態の皿部材の組付け状態の説明図。
【図２０】本発明の第５の実施の形態の外筒部材の説明図。
【図２１】本発明の第５の実施の形態の螺旋部材の説明図。
【図２２】本発明の第６の実施の形態の皿部材の組付け状態の説明図。
【図２３】本発明の第６の実施の形態の螺旋部材の説明図。
【図２４】本発明の第６の実施の形態の外筒部材の説明図。
【図２５】本発明の第７の実施の形態の皿部材の組付け状態の説明図。
【図２６】本発明の第７の実施の形態の内筒部材の説明図。
【図２７】本発明の第７の実施の形態の螺旋部材の説明図。
【図２８】本発明の第７の実施の形態の外筒部材の説明図。
【符号の説明】
１、１Ａ〜１Ｆ：口紅収納容器、
２：充填カプセル、
３：口紅、
４：皿部材、
５：キャップ嵌合部、
６：ハカマ部材、
７：螺旋部材挿入凹部、
８：切欠部、
９、９Ａ：内筒部材、
１０：螺旋溝、
１１、１１Ａ〜１１Ｃ：螺旋部材、
１２、１２Ａ〜１２Ｃ：外筒部材、
１３：係合ピン、
１４、１４Ａ〜１４Ｄ：螺旋部材係止機構、
１５：キャップ、
１６、１６Ａ〜１６Ｃ：係止片、
１７、１７Ａ〜１７Ｃ：支持片、
１８：係合ピン挿入溝、
１９：係止孔、
２０：係合片、
２１、２１Ａ、２１Ｂ：外筒部材係止機構、
２２：外筒部材挿入凹部、
２３：係合溝。
【図１】
0003909921.tif 000002
【図２】
0003909921.tif 000003
【図３】
0003909921.tif 000004
【図４】
0003909921.tif 000005
【図５】
0003909921.tif 000006
【図６】
0003909921.tif 000007
【図７】
0003909921.tif 000008
【図８】
0003909921.tif 000009
【図９】
0003909921.tif 000010
【図１０】
0003909921.tif 000011
【図１１】
0003909921.tif 000012
【図１２】
0003909921.tif 000013
【図１３】
0003909921.tif 000014
【図１４】
0003909921.tif 000015
【図１５】
0003909921.tif 000016
【図１６】
0003909921.tif 000017
【図１７】
0003909921.tif 000018
【図１８】
0003909921.tif 000019
【図１９】
0003909921.tif 000020
【図２０】
0003909921.tif 000021
【図２１】
0003909921.tif 000022
【図２２】
0003909921.tif 000023
【図２３】
0003909921.tif 000024
【図２４】
0003909921.tif 000025
【図２５】
0003909921.tif 000026
【図２６】
0003909921.tif 000027
【図２７】
0003909921.tif 000028
【図２８】
0003909921.tif 000029